(57)【特許請求の範囲】
【請求項１】
建物内に、蓄電池が格納された密閉容器が設けられ、
該密閉容器に形成された通気孔と、前記建物の屋外空間又は室外空間に面して前記蓄電池が格納された前記密閉容器よりも高い位置に設けられた排気口との間が気密性の通気経路で連通されているとともに、
前記排気口の隠蔽手段として建物用設備である前記蓄電池用のパワーコンディショナが、前記蓄電池が格納された前記密閉容器よりも高い位置に設けられていることを特徴とする蓄電池設置構造。
【請求項２】
前記通気経路は、床下空間を通っていることを特徴とする請求項１に記載の蓄電池設置構造。
【請求項３】
前記通気経路は、内壁内を通っていることを特徴とする請求項１又は２に記載の蓄電池設置構造。
【請求項４】
前記通気経路は、ダクト用管状部材で形成されていることを特徴とする請求項１乃至３のいずれか１項に記載の蓄電池設置構造。
【請求項５】
前記パワーコンディショナと前記蓄電池とは、前記通気経路と並列に配設された配線により接続されていることを特徴とする請求項１乃至４のいずれか１項に記載の蓄電池設置構造。
【請求項６】
前記排気口に網目状部材が設けられていることを特徴とする請求項１乃至５のいずれか１項に記載の蓄電池設置構造。
【発明の詳細な説明】
【技術分野】
【０００１】
本発明は、建物内に蓄電池を設置するための蓄電池設置構造に関するものである。
【背景技術】
【０００２】
従来から、建物内に蓄電池を設置するための蓄電池設置構造については多数提案されている（例えば、特許文献１等を参照）。
【０００３】
また、蓄電池には、通常、充電時等に内部に発生するガスを放出するために、ガス抜き用の孔が設けられている（特許文献２等を参照）。
【先行技術文献】
【特許文献】
【０００４】
【特許文献１】特開２０１０−２４４９１８号公報
【特許文献２】特開２００７−２５８０１４号公報
【発明の概要】
【発明が解決しようとする課題】
【０００５】
しかしながら、蓄電池から放出されるガスは、特に異常発熱した場合等には、有害物質を含有するときがあるため、蓄電池を単純に建物内に設置するのは、安全性を確保するうえで好ましくない。
【０００６】
そこで、本発明は、蓄電池から放出されるガスを、建物の屋外空間又は室外空間に排出して、安全性を確保することができる蓄電池設置構造を提供することを目的としている。
【課題を解決するための手段】
【０００７】
前記目的を達成するために、本発明の蓄電池設置構造は、建物内に、蓄電池が格納された密閉容器が設けられ、該密閉容器に形成された通気孔と、前記建物の屋外空間又は室外空間に面して設けられた排気口との間が気密性の通気経路で連通されていることを特徴とする。
【０００８】
ここで、前記通気経路は、ダクト用管状部材で形成されているとよい。
【０００９】
また、前記排気口には、隠蔽手段が設けられているとよい。
【００１０】
さらに、前記隠蔽手段は、建物用設備であってもよい。
【００１１】
また、前記建物用設備は、前記蓄電池用のパワーコンディショナであってもよい。
【００１２】
ここで、前記パワーコンディショナと前記蓄電池とは、前記通気経路と並列に配設された配線により接続されているとよい。
【００１３】
また、前記隠蔽手段は、化粧部材であってもよい。
【００１４】
さらに、前記排気口は、前記建物の外壁材間の目地部に設けられ、前記化粧部材は、該目地部を隠蔽するものであってもよい。
【００１５】
また、前記排気口は、前記建物の外壁材と建物基礎上端との間の目地部に設けられ、前記化粧部材は、該目地部を隠蔽するものであってもよい。
【００１６】
さらに、前記建物の前記室外空間は、内壁と外壁との間に形成された壁内換気空間であってもよい。
【００１７】
また、前記建物の前記室外空間は、最下階の床下空間であってもよい。
【００１８】
さらに、前記排気口に網目状部材が設けられているとよい。
【発明の効果】
【００１９】
このような本発明の蓄電池設置構造は、建物内に、蓄電池が格納された密閉容器が設けられ、密閉容器に形成された通気孔と、建物の屋外空間又は室外空間に面して設けられた排気口との間が気密性の通気経路で連通された構成とされている。
【００２０】
上記した構成なので、蓄電池から放出されるガスを、気密性の通気経路を通して排気口から建物の屋外空間又は室外空間に排出して、安全性を確保することができる。
【００２１】
そのうえ、蓄電池は密閉容器に格納されているので、排出ファン等の強制排気手段を用いなくても、ガスが蓄電池から放出されると、密閉容器内の内圧が上がり、ガスが通気経路から排気口へと流れるため、ガスを自然排気することができる。
【００２２】
ここで、通気経路は、ダクト用管状部材で形成されている場合は、密閉容器の通気孔と排気口との間にダクト用管状部材を配設するだけで、気密性の通気経路を形成することができる。
【００２３】
また、排気口には、隠蔽手段が設けられている場合は、排気口が隠蔽手段で隠れるので、意匠的美観を良くすることができるうえに、雨が吹き込んだり、積雪や悪戯等により、排気口を塞がれてしまうおそれも低減することができる。
【００２４】
さらに、隠蔽手段は、建物用設備である場合は、もともと必要な建物用設備を用いればよいので、隠蔽手段を別途用意する必要がない。
【００２５】
また、建物用設備は、蓄電池用のパワーコンディショナである場合は、蓄電池用のパワーコンディショナは、建物に蓄電池を設置する際に必要な建物用設備なので、これを隠蔽手段として有効利用することができる。
【００２６】
ここで、パワーコンディショナと蓄電池とは、通気経路と並列に配設された配線により接続されている場合は、通気経路の形成と配線の配設とを並列して施工すればよいので、施工性が良い。
【００２７】
また、隠蔽手段は、化粧部材である場合は、化粧部材により意匠的美観をより良くすることができる。
【００２８】
さらに、排気口は、建物の外壁材間の目地部に設けられ、化粧部材は、目地部を隠蔽するものである場合は、目地部を隠蔽する化粧部材は、通常用いる化粧部材なので、別途用意する必要がない。
【００２９】
また、排気口は、建物の外壁材と建物基礎上端との間の目地部に設けられ、化粧部材は、目地部を隠蔽するものである場合は、目地部を隠蔽する化粧部材は、通常用いる化粧部材なので、別途用意する必要がない。
【００３０】
さらに、建物の室外空間は、内壁と外壁との間に形成された壁内換気空間である場合は、排気口が外壁で隠れるので、隠蔽手段を別途用意する必要がない。
【００３１】
また、建物の室外空間は、最下階の床下空間である場合は、最下階の床下空間自体が基礎立ち上がり部で囲まれて形成されており、排気口は隠れているので、隠蔽手段を別途用意する必要がない。
【００３２】
さらに、排気口に網目状部材が設けられている場合は、排気口からの虫や小動物等の異物の侵入を防止することができる。
【図面の簡単な説明】
【００３３】
【図１】実施例１の蓄電池設置構造を備えた建物の概略構成を説明する説明図である。
【図２】実施例２の蓄電池設置構造を備えた建物の概略構成を説明する説明図である。
【図３】実施例３の蓄電池設置構造を備えた建物の概略構成を説明する説明図である。
【図４】実施例４の蓄電池設置構造を備えた建物の概略構成を説明する説明図である。
【図５】実施例５の蓄電池設置構造を備えた建物の概略構成を説明する説明図である。
【図６】実施例６の蓄電池設置構造を備えた建物の概略構成を説明する説明図である。
【発明を実施するための形態】
【００３４】
以下、本発明を実施するための形態を、図面に示す実施例１〜６に基づいて説明する。
【実施例１】
【００３５】
先ず、実施例１の構成について説明する。
【００３６】
図１は、実施例１の蓄電池設置構造を備えた建物１の概略構成を示している。
【００３７】
まず、この建物１は、地盤に打設された建物基礎１Ｂの上に建物本体１Ａが構築されて成る。
【００３８】
具体的には、建物基礎１Ｂの上端に基礎パッキン２を介して土台３が設けられており、土台３の上に根太６が設けられ、根太６の上面に、床材７が貼設されて、床材７の上に内壁４が固定され、さらに、内壁４の外側に外壁５が固定されている。
【００３９】
これにより、床材７を境にして、１階の床上空間８と最下階の床下空間９とが形成されている。
【００４０】
さらに、外壁５を形成する外壁材５１の下端部には、この外壁材５１と建物基礎１Ｂとの間の目地部を隠蔽する化粧部材１０が設けられている。
【００４１】
そして、この実施例１の蓄電池設置構造では、建物１の床上空間８内に、蓄電池１１が格納された密閉容器１２が設けられている。
【００４２】
ここで、密閉容器１２には、通気孔１２ａと配線挿通孔１２ｂとが形成されている。
【００４３】
また、屋外空間に面する外壁５を形成する外壁材５１には、排気口１３が設けられている。
【００４４】
そして、密閉容器１２の通気孔１２ａと外壁材５１の排気口１３との間がダクト用管状部材１４で接続されて気密性の通気経路が形成されている。
【００４５】
ここで、ダクト用管状部材１４は、密閉容器１２の側面の通気孔１２ａから床上空間８を通って床材７を貫通し、床下空間９を通って床材７を貫通し、内壁４内を通って外壁材５１の排気口１３に至る。
【００４６】
また、排気口１３の外側には、外壁材５１に、取付部材１５を介して、隠蔽手段としての建物用設備である蓄電池１１用のパワーコンディショナ１６が取り付けられている。
【００４７】
ここで、取付部材１５の上面及び両側面は塞がれ、排気口１３に雨水等が浸入しないように雨仕舞いがなされている。
【００４８】
また、排気口１３には、異物の侵入を防止するために、図示省略の網目状部材が設けられている。
【００４９】
さらに、ダクト用管状部材１４と並列に、蓄電池１１とパワーコンディショナ１６との間が、配線１７により接続されている。
【００５０】
次に、実施例１の作用効果について説明する。
【００５１】
このような実施例１の蓄電池設置構造は、建物１内に、蓄電池１１が格納された密閉容器１２が設けられ、密閉容器１２に形成された通気孔１２ａと、建物１の屋外空間に面して設けられた排気口１３との間が気密性の通気経路としてのダクト用管状部材１４で連通された構成とされている。
【００５２】
上記した構成なので、蓄電池１１から放出されるガスを、気密性の通気経路としてのダクト用管状部材１４を通して排気口１３から建物１の屋外空間に排出して、安全性を確保することができる。
【００５３】
そのうえ、蓄電池１１は密閉容器１２に格納されているので、排出ファン等の強制排気手段を用いなくても、ガスが蓄電池１１から放出されると、密閉容器１２内の内圧が上がり、ガスが通気経路としてのダクト用管状部材１４から排気口１３へと流れるため、ガスを自然排気することができる。
【００５４】
ここで、通気経路は、ダクト用管状部材１４で形成されている。
【００５５】
このため、密閉容器１２の通気孔１２ａと排気口１３との間にダクト用管状部材１４を配設するだけで、気密性の通気経路を形成することができる。
【００５６】
また、排気口１３には、隠蔽手段としての建物用設備である蓄電池１１用のパワーコンディショナ１６が設けられている。
【００５７】
このため、パワーコンディショナ１６で排気口１３が隠れるので、意匠的美観を良くすることができるうえに、雨が吹き込んだり、積雪や悪戯等により、排気口１３を塞がれてしまうおそれも低減することができる。
【００５８】
さらに、蓄電池１１用のパワーコンディショナ１６は、建物１に蓄電池１１を設置する際に必要な建物用設備なので、これを隠蔽手段として有効利用することができ、隠蔽手段を別途用意する必要がない。
【００５９】
ここで、パワーコンディショナ１６と蓄電池１１とは、通気経路としてのダクト用管状部材１４と並列に配設された配線１７により接続されている。
【００６０】
このため、通気経路としてのダクト用管状部材１４の配設と配線１７の配設とを並列して施工すればよいので、施工性が良い。
【００６１】
また、排気口１３に図示省略の網目状部材が設けられている。
【００６２】
このため、排気口１３からの虫や小動物等の異物の侵入を防止することができる。
【実施例２】
【００６３】
次に、実施例２について説明する。
【００６４】
なお、実施例１で説明した内容と同一乃至均等な部分の説明については同一符号を付して説明する。
【００６５】
図２は、実施例２の蓄電池設置構造を備えた建物１の概略構成を示している。
【００６６】
この実施例２の蓄電池設置構造では、外壁５を形成する外壁材５１，５１間の目地部に排気口１３が設けられ、隠蔽手段として、この目地部を隠蔽する化粧部材１８が設けられていることが実施例１の蓄電池設置構造と主に異なる。
【００６７】
このため、隠蔽手段としての化粧部材１８は、意匠的美観をより良くすることができるものであるが、この目地部を隠蔽する化粧部材１８は、通常用いる化粧部材なので、別途用意する必要がない。
【００６８】
なお、他の構成及び作用効果については、実施例１と略同様であるので説明を省略する。
【実施例３】
【００６９】
次に、実施例３について説明する。
【００７０】
なお、実施例１で説明した内容と同一乃至均等な部分の説明については同一符号を付して説明する。
【００７１】
図３は、実施例３の蓄電池設置構造を備えた建物１の概略構成を示している。
【００７２】
この実施例３の蓄電池設置構造では、外壁５を形成する外壁材５１の下端部と、建物基礎１Ｂの上端との間の目地部に排気口１３が設けられ、この目地部を隠蔽する化粧部材１０が隠蔽手段とされていることが実施例１の蓄電池設置構造と主に異なる。
【００７３】
このため、隠蔽手段としての化粧部材１０は、意匠的美観をより良くすることができるものであるが、この目地部を隠蔽する化粧部材１０は、通常用いる化粧部材なので、別途用意する必要がない。
【００７４】
なお、他の構成及び作用効果については、実施例１と略同様であるので説明を省略する。
【実施例４】
【００７５】
次に、実施例４について説明する。
【００７６】
なお、実施例１で説明した内容と同一乃至均等な部分の説明については同一符号を付して説明する。
【００７７】
図４は、実施例４の蓄電池設置構造を備えた建物１の概略構成を示している。
【００７８】
この実施例４の蓄電池設置構造では、内壁４と外壁５を形成する外壁材５１との間の室外空間である壁内換気空間１９に面して排気口１３が設けられていることが実施例１の蓄電池設置構造と主に異なる。
【００７９】
このため、排気口１３が外壁５を形成する外壁材５１で隠れるので、隠蔽手段を別途用意する必要がない。
【００８０】
なお、他の構成及び作用効果については、実施例１と略同様であるので説明を省略する。
【実施例５】
【００８１】
次に、実施例５について説明する。
【００８２】
なお、実施例１で説明した内容と同一乃至均等な部分の説明については同一符号を付して説明する。
【００８３】
図５は、実施例５の蓄電池設置構造を備えた建物１の概略構成を示している。
【００８４】
この実施例５の蓄電池設置構造では、室外空間である最下階の床下空間９に面して排気口１３が設けられていることが実施例１の蓄電池設置構造と主に異なる。
【００８５】
このため、排気口１３から床下空間９に排出されるガスは、床下換気により建物１の屋外へ排出されるうえに、最下階の床下空間９自体が建物基礎１Ｂの基礎立ち上がり部で囲まれて形成されており、排気口１３は隠れているので、隠蔽手段を別途用意する必要がない。
【００８６】
なお、他の構成及び作用効果については、実施例１と略同様であるので説明を省略する。
【実施例６】
【００８７】
次に、実施例６について説明する。
【００８８】
なお、実施例１で説明した内容と同一乃至均等な部分の説明については同一符号を付して説明する。
【００８９】
図６は、実施例６の蓄電池設置構造を備えた建物１の概略構成を示している。
【００９０】
この実施例６の蓄電池設置構造では、屋外空間である建物基礎１Ｂの基礎立ち上がり部の外側側面に排気口１３が設けられていることが実施例１の蓄電池設置構造と主に異なる。
【００９１】
ここで、通気経路としてのダクト用管状部材１４の外側端部は、建物基礎１Ｂの基礎立ち上がり部に埋め込んで設けた基礎スリーブ管２０を通して貫通させている。
【００９２】
このため、通気経路としてのダクト用管状部材１４を比較的短い距離とすることができる。
【００９３】
なお、他の構成及び作用効果については、実施例１と略同様であるので説明を省略する。
【００９４】
以上、図面を参照して、本発明を実施するための形態を実施例１〜６に基づいて詳述してきたが、具体的な構成は、これら実施例１〜６に限らず、本発明の要旨を逸脱しない程度の設計的変更は、本発明に含まれる。
【００９５】
例えば、上記した実施例１〜６では、建物１を、枠組壁工法による建物として実施したが、これに限定されず、鉄骨ラーメン構造のユニット建物や通常の軸組建物等の他の建物で実施してもよい。
【００９６】
ここで、上記した実施例１，２，４では、通気経路を形成するダクト用管状部材１４を、床下空間９を経由させて排気口１３と接続して実施したが、これに限定されず、例えば、床下空間９を経由させず、内壁４を直接貫通させて実施してもよい。
【００９７】
また、上記した実施例１では、隠蔽手段として、蓄電池１１用のパワーコンディショナ１６を用いて実施したが、これに限定されず、例えば他の用途のパワーコンディショナ等の建物用設備を用いて実施してもよい。
【００９８】
さらに、上記した実施例６では、隠蔽手段を用いずに実施したが、これに限定されず、例えば、エアコンディショナーの室外機等を隠蔽手段として実施してもよい。
【符号の説明】
【００９９】
１      建物
１Ａ    建物本体
１Ｂ    建物基礎
２      基礎パッキン
３      土台
４      内壁
５      外壁
５１    外壁材
６      根太
７      床材
８      床上空間
９      床下空間（室外空間）
１０    化粧部材（隠蔽手段）
１１    蓄電池
１２    密閉容器
１２ａ  通気孔
１２ｂ  配線挿通孔
１３    排気口
１４    ダクト用管状部材
１５    取付部材
１６    パワーコンディショナ（隠蔽手段）
１７    配線
１８    化粧部材（隠蔽手段）
１９    壁内換気空間（室外空間）
２０    基礎スリーブ管
【要約】
【課題】蓄電池から放出されるガスを、建物の屋外空間又は室外空間に排出して、安全性を確保することができる蓄電池設置構造を提供する。
【解決手段】建物１内に、蓄電池１１が格納された密閉容器１２が設けられ、密閉容器１２に形成された通気孔１２ａと、建物１の屋外空間に面して設けられた排気口１３との間が気密性の通気経路としてのダクト用管状部材１４で連通された構成とされている。
【選択図】図１【図１】
0005559915.tif 000002
【図２】
0005559915.tif 000003
【図３】
0005559915.tif 000004
【図４】
0005559915.tif 000005
【図５】
0005559915.tif 000006
【図６】
0005559915.tif 000007